(57)【要約】【課題】高密度実装ブレードサーバシステムのレバー機構を新規追加部品なくレバーの操作性を容易にする。【解決手段】ブレードサーバシステムにおける、各ユニット挿抜用レバー用ストッパーにおいて、前記ストッパーは、レバーをロックするレバーロック部、前記ロックを解除するレバーリリース部及びレバーを前面に押し出すレバー押出部からなり、これらレバーロック部、レバーリリース部、レバー押出部を、バネ性を持った部材で一体成形したことを特徴とする。【選択図】図６
2010147038.tif 000002
【特許請求の範囲】
【請求項１】
ブレードサーバシステムにおける、各ユニット挿抜用レバー用ストッパーにおいて、
前記ストッパーは、レバーをロックするレバーロック部、前記ロックを解除するレバーリリース部及びレバーを前面に押し出すレバー押出部からなり、これらレバーロック部、レバーリリース部、レバー押出部を、バネ性を持った部材で一体成形したことを特徴とするレバーロック機構。
【請求項２】
請求項１において、レバー押出部にてレバーに荷重を印加した状態で、レバーロック部にてレバーを固定する構造をとることを特徴とするレバーロック機構。
【請求項３】
請求項１において、ロック解除時に、レバー押出部により印加した反力で、レバーを前面に押出すことを特徴とするレバーロック機構。
【請求項４】
請求項１において、ストッパー形状を変え、レバーを前面に押し出す力を調整することを特徴とするレバーロック機構。
【発明の詳細な説明】
【技術分野】
【０００１】
本発明は、ブレードサーバシステムに代表されるような、ベースシャーシユニットに電子機器ユニットを挿抜する機構をもつ電子機器装置の挿抜用レバー機構に関するものである。
【背景技術】
【０００２】
近年、サーバ等の情報処理装置として、ベースシャーシユニットに複数のサーバモジュールや冷却用モジュール、ネットワークモジュール等を組み込んだブレードサーバシステムが、増加している。以下、ブレードサーバシステム例について、図を用いて説明する。
【０００３】
図１にブレードサーバシステム例の斜視図を示す。ブレードサーバシステムは、同一のベースシャーシ１に計算処理機能、ネットワーク機能等を有するモジュール２を実装する形態であり、顧客の要求によって、実装モジュールを自由に選択でき、各種機能を一元管理できる利点を持つ。さらに、電源、冷却用ユニット等もモジュール２として独立したユニット化となっており、高い保守性も有する。
【０００４】
一方、モジュール２はベースシャーシ１内に組み込んだメイン基板上のコネクタと接続する必要があり、モジュール２とメイン基板のコネクタかん合精度の向上や挿抜を容易にするために、レバー機構を持つことが多い。同時に、ベースシャーシ１に実装した際に、輸送時や地震時の振動で不用意にモジュール２が抜けないようにレバー３にストッパー機構が必要となる。
【０００５】
一般にブレードサーバシステムは、図２で示すブレードサーバシステムの正面図のように、高密度実装で実装モジュール２がベースシャーシ１のフレーム領域をほとんど占有する。隣接するモジュール２間の空間確保が少ないため、隣接するモジュール２間の隙間にレバー領域４４を設ける傾向がある。さらに、レバー３を操作するため、図３のレバー突出エリア５１のように、レバー３の一部をモジュール２正面より突出させ、指で摘み操作を行う。
【０００６】
図４はモジュール例の正面図を示す。
【０００７】
モジュール正面領域は、LED表示部位・スイッチ類エリア４１、活栓着脱ができるハードディスクエリア４２、冷却のための通気孔４３で占有されている。この領域を避けて、レバー類を実装する領域レバー領域４４を正面下部側面、もしくは上下部側面に設置しているが、近年の実装密度の高密度化により、レバー領域４４として使用できる領域が小さくなり、レバーを指で摘むという操作性が悪い。前記問題を解決するために、ストッパー部に解除釦を設け、この釦だけを突出させ、解除釦を押すと、レバーが前面へ押し出す機構が必要となる。
【０００８】
前記手段として、レバー支点にねじりバネを装着し、ねじりバネがレバーをロックする方向にストッパーに力を印加した状態でレバーをロックし、ロック解除時にねじりバネの反力でレバーをロックする方向に押し出し、レバーを掴みやすくすることで、操作性を向上する構造が一般的に考えられる。また、レバーを前面に押し出す機構として、実公平７−１１４８８号公報記載のように板バネを実装しその反力によりレバーを押し出す機構がある。
【０００９】
【特許文献１】実公平７−１１４８８号公報
【発明の開示】
【発明が解決しようとする課題】
【００１０】
しかし、前記手段では、レバー機構の複雑化に加え、レバー機構を構成する部品が少なくとも、レバー、ストッパーとバネの３部品となり、組立性が複雑になりコストの増加につながる。
【課題を解決するための手段】
【００１１】
前記課題を解決するために本発明では、レバーのロック機構、レバーのロック解除と前面への押し出し機構とをひとつの部品で構成させるが、このストッパーにバネ性を持たせ、ストッパー自身がレバーを押し出す機能を持つ構造をとる。
【発明の効果】
【００１２】
本発明によれば、部品を追加することなく、ストッパー本体にレバー押し出し機能を持たせ、ローコストで実装性、操作性の高いレバー構造が実現可能になる。さらに、追加部品が発生しないことから、レバー機構に必要な実装空間の低減も図れ、将来のモジュール実装物の増加や冷却孔の拡大に備えることができ、モジュールの有用性をさらに高めることができる。
【発明を実施するための最良の形態】
【００１３】
以下、本発明の実施形態に関わるレバー機構について、図面を参照して説明する。
【実施例１】
【００１４】
図１は一般的なブレードサーバシステム図を示す。本例ではベースシャーシ１にサーバモジュール２が実装されるブレードサーバシステムとなっている。サーバモジュール２はベースシャーシ１に組み込まれたメイン基板上のコネクタと勘合する段階で、サーバモジュール２に実装されたレバー３を用い、梃子の原理にて挿入実装される。
【００１５】
図５はベースシャーシ１へ実装された状態でのサーバモジュール２のレバー機構拡大図を示す。レバー３は板金に絞りによる段をつけ強度を増した薄板構造とする。実装状態では、サーバモジュール２が抜けないようにストッパー４にてレバーロック部７でレバー３を固定する。
【００１６】
図６にストッパー構造詳細図を示す。ストッパー４は２箇所のストッパー支点５にてサーバモジュール２に固定されている。サーバモジュール２が実装されている状態では、ストッパー４は自身の弾性変形により、レバー押出部６にてレバー３にレバー荷重方向９側への荷重を印加し、レバー３はレバーロック部７にてレバー切り欠き部１３を固定され、ロック状態となる。他方、サーバモジュールを引き抜く時には、ストッパー４のレバーリリース部８をリリース方向１０側に指で押し弾性変形させ、レバーロック部７でレバー３のロックを解除すると、レバー押出部６にてレバー３に印加された力により、レバー３はレバー支点１２を支点に回転方向１１に押し出される。このようにレバーリリース部８が解除釦に相当する。
【００１７】
上述のようにストッパー４とレバー押出部６を一体部品で製作すると、ばね部品を追加せずとも、スムーズにレバーが押し出される機構を得ることができる。
【実施例２】
【００１８】
レバー３の回転摩擦が大きく、レバー３を押し出すために大きな反力が必要な場合は、ストッパー４の形状を変え、例えばレバー押出部６とストッパー４部位の幅を厚くすると、押し出す機能としての反力を調整することができる。
【図面の簡単な説明】
【００１９】
【図１】ブレードサーバシステム概略図。
【図２】ブレードサーバシステム正面図。
【図３】モジュール実装レバーの突出状態図。
【図４】モジュール正面図。
【図５】レバー機構拡大図。
【図６】ストッパー構造詳細図。
【符号の説明】
【００２０】
１…ベースシャーシ、２…サーバモジュール、３…レバー、４…ストッパー、５…ストッパー支点、６…レバー押出部、７…レバーロック部、８…レバーリリース部、９…レバー荷重方向、１０…リリース方向、１１…回転方向、１２…レバー支点、１３…レバー切り欠き部、４１…LED表示部位・スイッチ類エリア、４２…ハードディスクエリア、４３…通気孔、４４…レバー領域、５１…レバー突出エリア。
【図１】
2010147038.tif 000003
【図２】
2010147038.tif 000004
【図３】
2010147038.tif 000005
【図４】
2010147038.tif 000006
【図５】
2010147038.tif 000007
【図６】
2010147038.tif 000008